(57)【特許請求の範囲】
【請求項１】
少なくともライブビュー画像と情報を表示する第１の表示モードと、ライブビュー画像と情報を表示する第２の表示モードと、ライブビュー画像を表示しない第３の表示モードとを含む複数の表示モードを所定の順序で切り替える切替指示を受け付ける第１の受付手段と、
撮影準備指示を受け付ける第２の受付手段と、
前記表示モードが前記第３の表示モードである場合に前記切替指示を受け付けたことに応じて、当該表示モードを前記第３の表示モードから前記第１の表示モードに切り替えるように制御し、前記表示モードが前記第３の表示モードである場合に前記撮影準備指示を受け付けたことに応じて、当該表示モードを前記第３の表示モードから前記第２の表示モードに切り替えるように制御する制御手段と、を有し、
前記第２の表示モードは、表示される情報の項目数が他の表示モードと比べて最も少ない表示モードであることを特徴とする撮像装置。
【請求項２】
少なくともライブビュー画像と情報を表示する第１の表示モードと、ライブビュー画像と情報を表示する第２の表示モードと、ライブビュー画像を表示しない第３の表示モードとを含む複数の表示モードを所定の順序で切り替える切替指示を受け付ける第１の受付手段と、
撮影準備指示を受け付ける第２の受付手段と、
前記表示モードが前記第３の表示モードである場合に前記切替指示を受け付けたことに応じて、当該表示モードを前記第３の表示モードから前記第１の表示モードに切り替えるように制御し、前記表示モードが前記第３の表示モードである場合に前記撮影準備指示を受け付けたことに応じて、当該表示モードを前記第３の表示モードから前記第２の表示モードに切り替えるように制御する制御手段と、を有し、
ファインダが装着されている場合は、前記第３の表示モードである場合に前記撮影準備指示を受け付けても表示モードを変更しないことを特徴とする撮像装置。
【請求項３】
少なくともライブビュー画像と情報を表示する第１の表示モードと、ライブビュー画像と情報を表示する第２の表示モードと、ライブビュー画像を表示しない第３の表示モードとを含む複数の表示モードを所定の順序で切り替える切替指示を受け付ける第１の受付手段と、
撮影準備指示を受け付ける第２の受付手段と、
前記表示モードが前記第３の表示モードである場合に前記切替指示を受け付けたことに応じて、当該表示モードを前記第３の表示モードから前記第１の表示モードに切り替えるように制御し、前記表示モードが前記第３の表示モードである場合に前記撮影準備指示を受け付けたことに応じて、当該表示モードを前記第３の表示モードから前記第２の表示モードに切り替えるように制御する制御手段と、を有し、
前記制御手段は、動画の記録中に、前記第２の表示モードにおいて前記第１の受付手段が前記切替指示を受け付けた場合は、前記第３の表示モードではなく、前記第１の表示モードに切り替えるように制御することを特徴とする撮像装置。
【請求項４】
前記所定の順序において、前記第３の表示モードは前記第２の表示モードの次であることを特徴とする請求項１ないし３のいずれか１項に記載の撮像装置。
【請求項５】
前記第２の表示モードは、表示される情報の項目数が他の表示モードと比べて最も少ない表示モードであることを特徴とする請求項２または３に記載の撮像装置。
【請求項６】
表示手段への表示を制御する表示制御方法であって、
撮像手段により撮影されたライブビュー画像を取得する取得工程と、
少なくともライブビュー画像と情報を表示する第１の表示モードと、ライブビュー画像と情報を表示する第２の表示モードと、ライブビュー画像を表示しない第３の表示モードとを含む複数の表示モードを所定の順序で切り替える切替指示を受け付ける第１の受付工程と、
撮影準備指示を受け付ける第２の受付工程と、
前記表示モードが前記第３の表示モードである場合に前記切替指示を受け付けたことに応じて、当該表示モードを前記第３の表示モードから前記第１の表示モードに切り替えるように制御し、前記表示モードが前記第３の表示モードである場合に前記撮影準備指示を受け付けたことに応じて、当該表示モードを前記第３の表示モードから前記第２の表示モードに切り替えるように制御する制御工程と、を有し、
前記第２の表示モードは、表示される情報の項目数が他の表示モードと比べて最も少ない表示モードであることを特徴とする表示制御方法。
【請求項７】
表示手段への表示を制御する表示制御方法であって、
撮像手段により撮影されたライブビュー画像を取得する取得工程と、
少なくともライブビュー画像と情報を表示する第１の表示モードと、ライブビュー画像と情報を表示する第２の表示モードと、ライブビュー画像を表示しない第３の表示モードとを含む複数の表示モードを所定の順序で切り替える切替指示を受け付ける第１の受付工程と、
撮影準備指示を受け付ける第２の受付工程と、
前記表示モードが前記第３の表示モードである場合に前記切替指示を受け付けたことに応じて、当該表示モードを前記第３の表示モードから前記第１の表示モードに切り替えるように制御し、前記表示モードが前記第３の表示モードである場合に前記撮影準備指示を受け付けたことに応じて、当該表示モードを前記第３の表示モードから前記第２の表示モードに切り替えるように制御する制御工程と、を有し、
ファインダが装着されている場合は、前記第３の表示モードである場合に前記撮影準備指示を受け付けても表示モードを変更しないことを特徴とする表示制御方法。
【請求項８】
表示手段への表示を制御する表示制御方法であって、
撮像手段により撮影されたライブビュー画像を取得する取得工程と、
少なくともライブビュー画像と情報を表示する第１の表示モードと、ライブビュー画像と情報を表示する第２の表示モードと、ライブビュー画像を表示しない第３の表示モードとを含む複数の表示モードを所定の順序で切り替える切替指示を受け付ける第１の受付工程と、
撮影準備指示を受け付ける第２の受付工程と、
前記表示モードが前記第３の表示モードである場合に前記切替指示を受け付けたことに応じて、当該表示モードを前記第３の表示モードから前記第１の表示モードに切り替えるように制御し、前記表示モードが前記第３の表示モードである場合に前記撮影準備指示を受け付けたことに応じて、当該表示モードを前記第３の表示モードから前記第２の表示モードに切り替えるように制御する制御工程と、を有し、
前記制御工程では、動画の記録中に、前記第２の表示モードにおいて前記第１の受付工程において前記切替指示を受け付けた場合は、前記第３の表示モードではなく、前記第１の表示モードに切り替えるように制御することを特徴とする表示制御方法。
【請求項９】
請求項６ないし８のいずれか１項に記載された表示制御方法を、コンピュータに実行させるためのプログラム。
【発明の詳細な説明】
【技術分野】
【０００１】
本発明は、撮像装置及びその制御方法に関し、特に、撮影待機時において表示モードを切り替える技術に関するものである。
【背景技術】
【０００２】
従来、再生モードや設定メニューなどの表示中に、シャッターボタンが半押しされることに応じてスルー画像（ライブビュー画像）を表示する撮影待機状態に移行する撮像装置が知られている。特許文献１には、再生モードまたはセットアップモードの際にレリーズボタンが半押しあるいは全押しされたことに応答し、再生画像または設定メニューの表示を中止して表示部にスルー画像を表示し撮影待機状態に移行する撮像装置が提案されている。
【０００３】
一方、撮影待機状態で表示されるスルー画像に、現在設定されている撮影条件や撮影の補助のための情報を重畳表示する撮像装置が知られている。特許文献２には、スルー画像に重畳して表示する情報がそれぞれ異なる複数の表示モードの中から、単一の操作部材に対する操作に応じて表示モードを切り替えることが開示されている。
【先行技術文献】
【特許文献】
【０００４】
【特許文献１】特開２００６−３３７５２号公報
【特許文献２】特開２００７−２４３９２３号公報
【発明の概要】
【発明が解決しようとする課題】
【０００５】
特許文献１における再生モードやセットアップメニューとは別に、特許文献２のような撮影待機状態における複数の表示モードの１つとして、スルー画像（ライブビュー画像）を表示せずに多くの設定情報を表示する表示モードがある場合を考える。この場合、シャッターボタンの半押し等による撮影準備指示の後、シャッターボタンの全押しなどによる撮影指示の前にスルー画像を見て構図の確認ができないと、撮影者の意図した構図での撮影が困難となり使い勝手が悪い。しかしながら、特許文献１には、撮影待機状態でないときにレリーズボタンが操作されると撮影待機状態に移行することが開示されているに過ぎない。すなわち、特許文献１には、撮影待機状態であるにも関わらずスルー画像が表示されていない表示モードのときにレリーズボタンが操作されたときの制御については何ら考慮されていない。
【０００６】
本発明は、上記課題に鑑みてなされ、その目的は、撮影待機状態でかつライブビューが表示されない表示モードの状態で、撮影準備指示があった場合にも、撮影指示の前にユーザーがライブビュー表示を見て構図を確認できる技術を実現することである。
【課題を解決するための手段】
【０００７】
上記課題を解決し、目的を達成するために、本発明の撮像装置は、少なくともライブビュー画像と情報を表示する第１の表示モードと、ライブビュー画像と情報を表示する第２の表示モードと、ライブビュー画像を表示しない第３の表示モードとを含む複数の表示モードを所定の順序で切り替える切替指示を受け付ける第１の受付手段と、撮影準備指示を受け付ける第２の受付手段と、前記表示モードが前記第３の表示モードである場合に前記切替指示を受け付けたことに応じて、当該表示モードを前記第３の表示モードから前記第１の表示モードに切り替えるように制御し、前記表示モードが前記第３の表示モードである場合に前記撮影準備指示を受け付けたことに応じて、当該表示モードを前記第３の表示モードから前記第２の表示モードに切り替えるように制御する制御手段と、を有し、前記第２の表示モードは、表示される情報の項目数が他の表示モードと比べて最も少ない表示モードである。
【発明の効果】
【０００８】
本発明によれば、ライブビューを表示しない第３の表示モードの状態で、撮影準備指示があった場合に、撮影準備動作を行う前にライブビューを表示する表示モードに切り替えるので、ユーザは撮影前に被写体を確認することができる。
【図面の簡単な説明】
【０００９】
【図１】本発明に係る実施形態の撮像装置の外観図。
【図２】本実施形態の撮像装置のブロック図。
【図３】本実施形態のモード切替動作を示すフローチャート。
【図４】本実施形態のモード切替動作時の表示例を示す図。
【発明を実施するための形態】
【００１０】
以下、図面を参照しながら本発明の実施の形態について詳細に説明する。
【００１１】
＜装置構成＞図１及び図２を参照して、本発明の撮像装置を適用したデジタルカメラの構成及び機能について説明する。
【００１２】
本実施形態のデジタルカメラ（以下、カメラ）１００の外観を示す図１において、１０１は撮影画像や各種情報をユーザに視認可能に表示するＬＣＤパネル等の表示部である。１０２はユーザが撮影指示を行うためのシャッターボタンである。１０３はユーザが各種モードを切り替えるためのモード切替スイッチである。１０４はユーザからの各種操作を受け付ける各種スイッチ、ボタン、タッチパネル等の操作部である。操作部１０４に含まれるＩＮＦＯボタン１２０は、第１の受付手段として表示モードを切り替える操作部材である。ユーザがＩＮＦＯボタン１２０を押下するごとに、現在の表示モードを順次切り替えることができる。１０６は操作部１０４に含まれて、ユーザによるタッチ操作が可能なタッチホイールである。タッチホイール１０６は、方向ボタンと共に選択項目を指示する際などに使用される。タッチホイール１０６は、タッチセンサからなる操作部材であり、タッチホイール１０６自体は回転しないで、タッチホイール１０６上でのユーザの指などの回転動作などを検出する。１０５はユーザが電源のオン／オフを切り替える電源スイッチである。１０７はカメラ１００と外部機器（ＰＣやテレビ等）とをケーブル１０８で接続するためのコネクタである。１０９はメモリカードやハードディスク等の記録媒体である。１１０は記録媒体１０９を格納するためのスロットである。スロット１１０に格納された記録媒体１０９は、カメラ１００との通信が可能となる。１１１はスロット１１０を開閉するカバーである。
【００１３】
１１２は各種アクセサリを装着するための装着部であり、アクセサリとデータの送受信を行う通信部や、装着の有無を検出可能な脱着検出部も備えている。装着可能なアクセサリには例えば、外付けの電子ビューファインダ（ＥＶＦ）などがある。外付けＥＶＦを覗き込めば、レンズを通り撮像部で捉えた画像や映像を確認できる。
【００１４】
本実施形態のカメラ１００のブロック構成を示す図２において、２０１はフォーカスレンズやズームレンズを含む撮影レンズ、２０２は絞り機能を備えるシャッター、２０３は被写体像を光電変換するＣＣＤやＣＭＯＳ素子等で構成される撮像部である。２０４はＡ／Ｄ変換器であり、アナログ信号をデジタル信号に変換する。Ａ／Ｄ変換器２０４は、撮像部２０３から出力されるアナログ信号をデジタル信号に変換するために用いられる。２０５はバリアであり、デジタルカメラ１００の、撮影レンズ２０１を含む撮像部を覆うことにより、撮影レンズ２０１、シャッター２０２、撮像部２０３を含む撮像系の汚れや破損を防止する。
【００１５】
２０６は画像処理部であり、Ａ／Ｄ変換器２０４からのデータ、又は、メモリ制御部２０７からのデータに対し所定の画素補間、縮小といったリサイズ処理や色変換処理を行う。また、画像処理部２０６では、撮像した画像データを用いて所定の演算処理が行われ、得られた演算結果に基づいてシステム制御部２００が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０６では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２０４からの出力データは、画像処理部２０６及びメモリ制御部２０７を介して、メモリ２０８に直接書き込まれる。メモリ２０８は、撮像部２０３によって得られ、Ａ／Ｄ変換器２０４によりデジタルデータに変換された画像データや、表示部１０１に表示するための画像データを格納する。メモリ２０８は、所定枚数の静止画像や所定時間の動画像および音声を格納するのに十分な記憶容量を備えている。
【００１７】
また、メモリ２０８は画像表示用のメモリ（ビデオメモリ）を兼ねている。２０９はＤ／Ａ変換器であり、メモリ２０８に格納されている画像表示用のデータをアナログ信号に変換して表示部１０１に供給する。こうして、メモリ２０８に書き込まれた表示用の画像データはＤ／Ａ変換器２０９を介して表示部１０１により表示される。表示部１０１は、ＬＣＤ等の表示画面にＤ／Ａ変換器２０９からのアナログ信号に応じた表示を行う。Ａ／Ｄ変換器２０４によって一旦Ａ／Ｄ変換されてメモリ２０８に蓄積されたデジタル信号は、画像処理部２０６で所定の信号処理が施された後にメモリ２０８に蓄積される。メモリ２０８に蓄積されたデジタル信号はＤ／Ａ変換器２０９によりアナログ信号に変換され、表示部１０１に逐次転送して表示することで、電子ビューファインダ（スルー画像表示）として機能する。
【００１８】
不揮発性メモリ２１０は、電気的に消去・記録可能なメモリであり、例えばＥＥＰＲＯＭ等が用いられる。不揮発性メモリ２１０には、システム制御部２００の動作用の定数、プログラム等が記憶される。ここでいう、プログラムとは主として、図３で後述するフローチャートを実行するためのプログラムのことである。
【００１９】
２００はシステム制御部であり、カメラ１００全体を制御する。前述した不揮発性メモリ２１０に格納されたプログラムを実行することで、後述するフローチャートの各処理を実現する。２１１はシステムメモリであり、ＲＡＭが用いられる。システムメモリ２１１には、システム制御部２００の動作用の定数、変数、不揮発性メモリ２１０から読み出したプログラム等を展開する。また、システム制御部２００はメモリ２０８、Ｄ／Ａ変換器２０９、表示部１０１等を制御することにより表示制御も行う。システムタイマー２１２は各種制御に用いる時間や、内蔵された時計の時間を計測する計時部である。
【００２０】
モード切替スイッチ１０３、第１シャッタースイッチ１０２ａ、第２シャッタースイッチ１０２ｂ、操作部１０４はシステム制御部２００に各種の動作指示を入力するための操作手段である。モード切替スイッチ１０３は、システム制御部２００の動作モードを静止画撮影モード、動画記録モード、再生モード等のいずれかに切り替える。静止画撮影モードに含まれるモードとしては、オート撮影モード、オートシーン判別モード、マニュアルモード、撮影シーン別の撮影設定となる各種シーンモード、プログラムＡＥモード、カスタムモード等がある。モード切替スイッチ１０３により、静止画撮影モードに含まれるこれらのモードのいずれかに直接切り替えられる。なお、モード切替スイッチ１０３で静止画撮影モードに一旦切り替えた後に、静止画撮影モードに含まれるこれらのモードのいずれかに、他の操作部材を用いて切り替えるようにしてもよい。同様に、動画記録モードにも複数のモードが含まれていてもよい。
【００２１】
第１シャッタースイッチ１０２ａは、第２の受付手段として、カメラ１００に設けられたシャッターボタン１０２の操作途中、いわゆる半押し（撮影準備指示）でオンとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ１０２ｂは、シャッターボタン１０２の操作完了、いわゆる全押し（撮影指示）でオンとなり、第２シャッタースイッチ信号ＳＷ２を発生する。システム制御部２００は、第２シャッタースイッチ信号ＳＷ２により、撮像部２０３からの信号の読み出しから記録媒体１０９に画像データを書き込むまでの一連の撮影処理の動作を開始する。
【００２３】
操作部１０４の各操作部材は、表示部１０１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると、メニュー切替指示が通知され、各種の設定可能なメニュー画面が表示部１０１に表示される。ユーザは、表示部１０１に表示されたメニュー画面と、４方向ボタンやＳＥＴボタンを用いて直感的に各種設定を行うことができる。
【００２４】
操作部１０４に含まれるＩＮＦＯボタン１２０が押下されるごとに、現在の表示モードが表示モード１であれば表示モード２に、表示モード２であれば表示モード３に、表示モード３であれば表示モード４に、表示モード４であれば表示モード１に切り替わる。各表示モードでどのような情報を表示するかについては図４を用いて後述する
なお、操作部１０４の１つとして、表示部１０１に対する接触を検知可能なタッチパネル２１３を有する。タッチパネル２１３は、表示部１０１と一体的に構成されているシステム制御部２００は、ユーザの指等でタッチした位置を検出し、座標等に変換して利用することができる。例えば、タッチパネル２１３を光の透過率が表示部１０１の表示を妨げないように構成し、表示部１０１の表示面の上層に取り付ける。そして、タッチパネル２１３における入力座標と、表示部１０１上の表示座標とを対応付ける。これにより、恰もユーザが表示部１０１上に表示された画面を直接的に操作可能であるかのようなＧＵＩを構成することができる。
【００２５】
システム制御部２００はタッチパネル２１３への以下の操作を検出できる。タッチパネル２１３を指やペンで触れたこと（以下、タッチダウン）。タッチパネル２１３を指やペンで触れている状態であること（以下、タッチオン）。タッチパネル２１３を指やペンで触れたまま移動していること（以下、ムーブ）。タッチパネル２１３へ触れていた指やペンを離したこと（以下、タッチアップ）。タッチパネル２１３に何も触れていない状態（以下、タッチオフ）。これらの操作や、タッチパネル２１３上に指やペンが触れている位置座標は内部バス２１４を通じてシステム制御部２００に通知され、システム制御部２００は通知された情報に基づいてタッチパネル２１３上にどのような操作が行なわれたかを判定する。ムーブについてはタッチパネル２１３上で移動する指やペンの移動方向についても、位置座標の変化に基づいて、タッチパネル２１３上の垂直成分・水平成分毎に判定できる。またタッチパネル２１３上をタッチダウンから一定のムーブを経てタッチアップをしたとき、ストロークを描いたこととする。素早くストロークを描く操作をフリックと呼ぶ。フリックは、タッチパネル２１３上に指を触れたままある程度の距離だけ素早く動かして、そのまま離すといった操作であり、言い換えればタッチパネル２１３上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネル２１３は、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００２６】
また、図１に示すタッチホイール１０６がタッチ操作されると、タッチ操作に応じて電気的なパルス信号が発生し、このパルス信号に基づいてシステム制御部２００はカメラ１００の各部を制御する。このパルス信号によって、タッチホイール１０６がタッチ操作された方向や、何回転したかなどを判定することができる。なお、タッチホイール１０６はタッチ操作が検出できる操作部材であればどのようなものでもよい。
【００２７】
２１５は電源制御部であり、電池検出回路、ＤＣ−ＤＣコンバータ、通電するブロックを切り替えるスイッチ回路等により構成され、電池の装着の有無、電池の種類、電池残量の検出を行う。また、電源制御部２１５は、その検出結果及びシステム制御部２００の指示に基づいてＤＣ−ＤＣコンバータを制御し、必要な電圧を必要な期間、記録媒体１０９を含む各部へ供給する。
【００２８】
２１６は電源部であり、アルカリ電池やリチウム電池等の一次電池やＮｉＣｄ電池やＮｉＭＨ電池、Ｌｉ電池等の二次電池、ＡＣアダプター等からなる。２１７はメモリカードやハードディスク等の記録媒体１０９とのインターフェースである。記録媒体１０９は、メモリカード等の記録媒体であり、半導体メモリや磁気ディスク等から構成される。
【００２９】
＜表示例＞図４を参照して、表示モード１〜４における表示部１０１への各表示例について説明する。
【００３０】
図４（ａ）は、第１の表示モードとしての表示モード１の表示例である。背景に表示されるスルー画像（ライブビュー画像）に重畳して、現在設定されている撮影モード（上列左端のアイコン。図示の例ではマニュアルモード）や、残り撮影可能枚数（上列左から２番目の情報表示。図示の例では残り９９９９枚の撮影が可能であることを示している。）、電池残量（上列左から３番目のアイコン）が表示される。また、現在のＦ値（絞り値、下列左から３番目の矩形内の数値。図示の例では５．６）、露出補正（下列左から４番目の情報）、ＩＳＯ感度（下列左から５番目の情報）などの各撮影条件の表示される。
【００３１】
図４（ｂ−１）は、第２の表示モードとしての表示モード２の表示例である。背景に表示されるスルー画像（ライブビュー画像）に重畳して表示される情報の項目数が表示モード１よりも多く、図４（ａ）に比べてホワイトバランスの設定値（右側上から２番目のアイコン）等が増えている。
【００３２】
図４（ｂ−２）は、メニュー画面でヒストグラム表示をオンにしていた場合の表示モード２の表示例である。ヒストグラムを表示している以外は図４（ｂ−１）の表示と同様である。
【００３３】
図４（ｃ）は、第３の表示モードとしての表示モード３の表示例である。表示モード３は、背景に表示されるスルー画像（ライブビュー画像）に重畳して、ＡＦ枠と、撮像部の温度上昇警告表示（画面右側のアイコン。温度上昇時のみ表示）のみが表示され、他の情報は表示されない。表示モード１〜４の中で最も表示される情報の項目数が少ない表示モードである。その分ライブビュー画像の視認の妨げが少なく、ライブビューを見やすい表示モードである。
【００３４】
図４（ｄ）は、第４の表示モードとしての表示モード４の表示例である。表示モード４は光学ファインダを有するデジタル一眼レフカメラにおける撮影設定状態の表示画面を模した表示画面であり、多くの情報がタイル状に並べて表示されている。ライブビュー画像が表示されておらず、その分、各情報を表示する領域が、同じ情報であっても他の表示モードの場合より広くなっており、各情報の視認性が高く、かつ各情報を表示する領域へのタッチ操作がしやすくなっている。各情報が表示される領域に対するタッチ操作に応じて、タッチされた領域で表示されている設定項目についての設定を変更することが可能である。表示モード４は、メニューボタンが押下された際に表示されるメニュー画面とは異なり、ＩＮＦＯボタン１２０で切り替え可能な撮影待機状態における表示モードの一種である。なお、撮影待機状態では表示モード３のときにＩＮＦＯボタン１２０が押下されると表示モード４に切り替わるが、動画記録中であればＩＮＦＯボタン１２０が押下されても表示モード３から表示モード４には切り替わらず、表示モード１に切り替わるものとする。
【００３５】
＜モード切替動作＞次に、図３を参照して、本実施形態のデジタルカメラによるモード切替動作について説明する。なお、図３の処理は、不揮発性メモリ２１０に記録されたプログラムを、システムメモリ２１１に読み出してシステム制御部２００が実行することにより実現する。
【００３６】
図３において、システム制御部２００が操作部１０４からカメラ１００の撮影モードでの起動開始指示を受け取ると処理を開始し、Ｓ３０１では、現在の表示モードの状態変数Ｎをシステムメモリ２１１に記憶する。状態変数Ｎは、前述の表示モードＮｏに対応する。すなわち、Ｎ＝１は表示モード１に、Ｎ＝２は表示モード２に、Ｎ＝３は表示モード３に、Ｎ＝４は表示モード４にそれぞれ対応する。
【００３７】
次に、Ｓ３０２では、システム制御部２００は、システムメモリ２１１に記憶されている表示モード状態変数Ｎに合わせて、表示部１０１の表示を更新する。
【００３８】
次に、Ｓ３０３では、システム制御部２００は、操作部１０４から所定の順序で次の順番の表示モードに切り替える指示を受け取ったか否かを判定する。この判定の結果、所定の順序で次の順番の表示モードに切り替える指示を受け取らず、現在の表示モードの表示を継続する場合はＳ３１０に進む。一方、所定の順序で次の順番の表示モードに切り替える指示を受け取り、表示モードの表示を切り替える場合はＳ３０３に進む。
【００３９】
次に、Ｓ３０４では、システム制御部２００は、システムメモリ２１１に記憶されている表示モード状態変数Ｎがカメラ１００で想定されている最大の値Ｎmaxか否かを判定する。本実施形態では表示モードは４種類なので最大値は４となる。すなわち、この判定は現在の表示モードがライブビュー表示をしない表示モード４であるか否かの判定である。この判定の結果、表示モード状態変数Ｎがカメラ１００で想定されている最大の値Ｎmaxでなければ、Ｓ３０５に進み、表示モード状態変数Ｎがカメラ１００で想定されている最大の値Ｎmaxであれば、Ｓ３０８に進む。
【００４０】
次に、Ｓ３０５では、システム制御部２００は、システムメモリ２１１に記憶されている表示モード状態変数Ｎがカメラ１００で想定されている最大の値Ｎmax−１か否か、すなわち現在の表示モードが表示モード３か否かを判定する。この判定の結果、表示モード状態変数Ｎが最大の値Ｎmax−１（４−１＝３）でなければ、Ｓ３０７に進み、表示モード状態変数Ｎが最大の値Ｎmax−１（＝３）であれば、Ｓ３０６に進む。
【００４１】
次に、Ｓ３０６では、システム制御部２００は、動画を記録中か否かを判定する。この判定の結果、動画を記録中でなければ、Ｓ３０７に進み、動画を記録中であれば、Ｓ３０８に進む。
【００４２】
次に、Ｓ３０７では、システム制御部２００は、システムメモリ２１１に記憶されている表示モード状態変数Ｎの値を１つインクリメントする。
【００４３】
次に、Ｓ３０８では、システム制御部２００は、システムメモリ２１１に記憶されている表示モード状態変数Ｎを１に設定する。動画記録中は、ユーザが常に被写体を確認できるようにするため、ライブビュー表示をしない表示モード４には切り替えない。
【００４４】
次に、Ｓ３０９では、システム制御部２００は、システムメモリ２１１に記憶されている表示モード状態変数Ｎに合わせて、表示部１０１の表示を更新する。表示を更新するとＳ３０３に戻る。
【００４５】
次に、Ｓ３１０では、システム制御部２００は、シャッターボタン１０２の半押しにより第１シャッタースイッチ１０２ａがオンとなり、第１シャッタースイッチ信号ＳＷ１が発生したか否か、すなわち撮影準備指示が行われたか否かを判定する。この処理は、撮影準備指示検出手段による処理の一例に対応する。第１シャッタースイッチ信号ＳＷ１が発生しなかった場合には、Ｓ３２０に進み、第１シャッタースイッチ信号ＳＷ１が発生した場合には、Ｓ３１１に進む。
【００４６】
次に、Ｓ３１１では、システム制御部２００は、システムメモリ２１１に記憶されている表示モード状態変数Ｎが最大の値Ｎmaxか否かを判定する。この判定の結果、表示モード状態変数Ｎがカメラ１００で想定されている最大の値Ｎmaxでなければ、Ｓ３１５に進み、表示モード状態変数Ｎがカメラ１００で想定されている最大の値Ｎmaxであれば、Ｓ３１２に進む。
【００４７】
次に、Ｓ３１２では、システム制御部２００は、装着部１１２に外付けのファインダが装着されているか否かを判定する。ここでの判定は、前述のような外付けＥＶＦや、外付けの光学ファインダが装着されている否かの判定である。この判定の結果、カメラ１００にファインダが装着されている場合は、Ｓ３１５に進み、カメラ１００にファインダが装着されていない場合は、Ｓ３１３に進む。
【００４８】
次に、Ｓ３１３では、システム制御部２００は、システムメモリ２１１に記憶されている表示モード状態変数Ｎの値をデクリメントして１減じる。これによって、ライブビュー表示が行われていない表示モード４である場合に撮影準備指示があると、ライブビュー表示を行う表示モード３に切り替わることになる。これによって撮影者は、シャッターボタン１０２の全押しによる撮影指示の前にライブビュー画像を見て構図を確認して、適切なフレーミングを行ってから、被写体に合わせた撮影者の任意のシャッタータイミングで撮影を行うことができる。この場合は、表示モード４で詳細に撮影設定などの各種情報を確認・設定した後の操作であると想定されるため、不要な情報表示が極力少なく、ライブビュー表示が最も視認しやすい表示モード３に切り替えるものとしている。さらに撮影指示を行った後は、再度元の表示モード４に切り替えたいという撮影者の要望が多いと想定される。このため、表示モードの切り替え順において、最も情報表示が少なくライブビュー画像が視認しやすい表示モード３の次に、ライブビュー表示を行わない表示モード４を並べている。このようにすることで、ライブビュー表示を行わない表示モード４から、撮影準備指示に応じて最もライブビュー表示が視認しやすい表示モード３に切り替えることができる。その後、ＩＮＦＯボタン１２０を１回押下するだけで、つまりワンタッチで元の表示モード４に戻すことができるという効果を奏する。
【００４９】
次に、Ｓ３１４では、システム制御部２００は、システムメモリ２１１に記憶されている表示モード状態変数Ｎに合わせて、表示部１０１の表示を更新する。
【００５０】
次に、Ｓ３１５では、システム制御部２００は、ＡＦ動作を行う。
【００５１】
次に、Ｓ３１６では、システム制御部２００は、シャッターボタン１０２が全押しで第２シャッタースイッチ１０２ｂがオンとなり、第２シャッタースイッチ信号ＳＷ２が発生したか否か、すなわち撮影指示されたか否かを判定する。第２シャッタースイッチ信号ＳＷ２が発生しなかった場合には、Ｓ３１７に進み、第２シャッタースイッチ信号ＳＷ２が発生した場合には、Ｓ３１９へ進む。
【００５２】
次に、Ｓ３１７では、システム制御部２００は、シャッターボタン１０２の半押しが終了し、第１シャッタースイッチ１０２ａがオフとなり、第１シャッタースイッチ信号ＳＷ１の発生が停止したか否か、すなわち撮影準備指示が解除されたか否かを判定する。撮影準備指示が解除された場合には、Ｓ３１８に進み、撮影準備指示が解除されていない場合には、Ｓ３１５に戻る。
【００５３】
次に、Ｓ３１８では、システム制御部２００は、ＡＦ動作を終了する。ＡＦ動作を終了するとＳ３０３に戻る。
【００５４】
次に、Ｓ３１９では、システム制御部２００は、撮像部２０３からの信号読み出しから記録媒体１０９に画像データを書き込むまでの一連の撮影処理の動作を開始する。なお、ここでの撮影処理は、スルー画像の撮影と区別するために本撮影というものとする。本撮影を行うとＳ３０３に戻る。
【００５５】
次に、Ｓ３２０では、システム制御部２００は、操作部１０４に含まれるメニューボタンが押下されたか否かを判定する。すなわち、メニュー切替指示を受け付けたか否かを判定する。この判定の結果、メニュー切替指示を受け付けていない場合はＳ３０３に戻り、メニュー切替指示を受け付けた場合はＳ３２１に進む。
【００５６】
次に、Ｓ３２１では、システム制御部２００は、カメラ１００の状態を撮影状態からメニュー画面表示状態に変更し、その状態変更をシステムメモリ２１１に記憶する。尚、このときは撮影状態の表示モードの設定は変更しない。
【００５７】
次に、Ｓ３２２では、システム制御部２００は、システムメモリ２１１に記憶されているメニュー状態の設定に合わせて、表示部１０１に不図示の設定メニュー画面を表示する。
【００５８】
次に、Ｓ３２３では、システム制御部２００は、シャッターボタン１０２の半押しにより第１シャッタースイッチ１０２ａがオンとなり、第１シャッタースイッチ信号ＳＷ１が発生したか否か、すなわち撮影準備指示が行われたか否かを判定する。こ第１シャッタースイッチ信号ＳＷ１が発生しなかった場合には、Ｓ３２８に進み、第１シャッタースイッチ信号ＳＷ１が発生した場合には、Ｓ３２４に進む。
【００５９】
次に、Ｓ３２４では、システム制御部２００は、表示モード状態変数Ｎが最大の値Ｎmaxであるか否かを判定する。最大の値Ｎmaxである場合はＳ３２５に進み、そうでない場合はＳ３２７に進む。
【００６０】
Ｓ３２５では、システム制御部２００は、装着部１１２に外付けファインダが装着されているか否かを判定する。この判定はＳ３１２で前述した判定と同様である。外付けファインダが装着されている場合はＳ３２７に進み、そうでない場合はＳ３２６に進む。
【００６１】
Ｓ３２６では、システム制御部２００は、表示モード状態変数Ｎをデクリメントして一つ減らす。この処理は前述したＳ３１３と同様の処理である。
【００６２】
Ｓ３２７では、システム制御部２００は、表示部１０１の表示を、メニュー画面から現在の表示モード状態変数Ｎが表す表示モードに切り替える。これによって、メニュー画面に切り替える前に表示モード４での表示を行っていて、外付けファンダが装着されていなかった場合には表示モード３での表示に切り替わる。
また、メニュー画面に切り替える前に表示モード４での表示を行っていたが外付けファインダが装着されていた場合は、メニュー画面に切り替える前の表示モードでの表示が行われる。また、メニュー画面に切り替える前に表示モード４以外の表示モードでの表示を行っていた場合にも、メニュー画面に切り替える前の表示モードでの表示が行われる。Ｓ３２７の処理の後、処理は前述のＳ３１５に進む。
【００６３】
Ｓ３２８では、システム制御部２００は、操作部１０４のメニューボタンが押下されてメニュー切替指示を受け付けたか否かを判定する。この判定の結果、メニュー切替指示を受け付けていない場合は、メニュー画面の表示を継続してＳ３２３に戻る。メニュー切替指示を受け付けた場合はＳ３２９に進み、メニュー画面に切り替える前の表示モードでの表示に切り替え（すなわちメニュー画面を閉じて）、Ｓ３０３に進む。
【００６４】
これにより、ライブビューを表示しない表示モード（本実施形態では表示モード４）の状態で、撮影準備指示があった場合に、撮影準備動作を行う前にライブビューを表示する表示モードに切り替えるので、ユーザは撮影前に被写体を確認することができる。
【００６５】
なお、Ｓ３１２、Ｓ３２５での外付けファインダの装着有無の判定を行わずに、それぞれＳ３１３、Ｓ３２６に進むようにし、ファインダの装着有無に関わらず表示モード４の場合に撮影準備指示があったら表示モード３に切り替えるようにしてもよい。
【００６６】
なお、システム制御部２００の制御は１つのハードウェアが行ってもよいし、複数のハードウェアが処理を分担することで、装置全体の制御を行ってもよい。
【００６７】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６８】
また、上述した実施形態においては、本発明の撮像装置をデジタルカメラに適用した場合を例にして説明したが、本発明はこの例に限定されず、例えば、操作部材によって表示モードを切り替えられる装置であれば適用可能である。すなわち、本発明はカメラ機能を有する携帯電話端末、携帯型の画像ビューワ、デジタルフォトフレーム、音楽プレーヤー、ゲーム機、電子ブックリーダーなどに適用可能である。
【００６９】
［他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0005956836.tif 000002
【図２】
0005956836.tif 000003
【図３】
0005956836.tif 000004
【図４】
0005956836.tif 000005